(57)【特許請求の範囲】
【請求項１】
断熱材と防水シートとからなる防水層が、固定具で、躯体の表面に固定されている防水構造体の製造方法であって、
先ず、該躯体の表面に、該断熱材を載置し、
次いで、ビス頭の平面形状が外周上の異なる２点で軸心からの長さが異なっている形状である固定ビスと、該固定ビスのビス頭が嵌合するための座繰り部が形成されている固定板と、からなる固定具を、該固定板に該固定ビスを挿通した状態で、該固定具の固定箇所の該断熱材に捻じ込み、該断熱材を貫通させ、更に、該躯体に捻じ込むことにより、該固定具により該断熱材を該躯体に固定し、
次いで、該断熱材及び該固定具を覆うように、防水シートを載置し、
次いで、固定板の防水シート側の面と該防水シートとを接合させることにより、防水構造体を得ること、
を特徴とする防水構造体の製造方法。
【請求項２】
前記ビス頭の平面形状が、軸心から外周までの長さの最小値に対する軸心から外周までの長さの最大値の比（最大値／最小値）が、１より大きい形状であることを特徴とする請求項１記載の防水構造体の製造方法。
【請求項３】
前記ビス頭の平面形状が、多角形であることを特徴とする請求項１又は２いずれか１項記載の防水構造体の製造方法。
【請求項４】
前記ビス頭の平面形状が、楕円形であることを特徴とする請求項１又は２いずれか１項記載の防水構造体の製造方法。
【発明の詳細な説明】
【技術分野】
【０００１】
本発明は、躯体の表面に断熱材と防水シートからなる防水層が敷設されている防水構造体及び該防水構造体に用いられる防水層を躯体の表面に固定するための固定具に関するものである。
【背景技術】
【０００２】
工場の屋根上やビルの屋上等には、防水のために、断熱材と防水シートからなる防水層が敷設されていることが多い。図１７には、折れ板状の金属板の屋根に防水層が敷設されている防水構造体の一例を示す。以下、工場、ビル、学校の校舎等の事業用の建造物やマンション等の住居用の建造物の屋根、ベランダ、バルコニー等の防水層が敷設されている対象を躯体と総称する。図１７に示す防水構造体は、躯体２１上に、断熱材２２と断熱材２２を覆う防水シート２３からなる防水層２４が敷設されている。なお、図１７では、躯体２１の全体形状が分かり易いように、防水層２４を二点鎖線で示す部分で切り取った防水層２４の一部のみを図示しているが、実際は、防水層２４は、躯体２１の表面全体に敷設されている。そして、このような防水構造体では、図１８及び図１９に示すような、円形のビス頭４３と側面にネジ山が形成されている軸４２と先端部４４で構成されている固定ビス４１、及び挿通孔４６の内周面に円形の座繰り部４７が形成されている固定板４５からなる固定具を用いて、防水層が固定されている。
【０００３】
この従来の防水構造体には、強風に曝されることにより、躯体に捻じ込んだ固定ビスが緩み、抜けてしまうという問題があった。
【０００４】
このような固定ビスの緩みを防ぐ方法としては、例えば、特許文献１には、建屋の梁上に設置された金属製屋根下地材の上に断熱材又は緩衝材を敷設し、該断熱材又は緩衝材を上記金属製屋根下地材に固定用ビスで機械的に固定し、更に上記断熱材又は緩衝材の上面には防水シートを敷設し当該防水シートを、上記固定用ビスにより上記断熱材又は緩衝材の上面に固定された固定ディスクで固着して構成される金属下地屋根構造において、前記金属製屋根下地材における前記固定用ビスが捻じ込まれる部分の上面に金属補強板を設置せしめ、前記固定用ビスを前記断熱材又は緩衝材を貫通して前記金属補強板と金属製屋根下地材の両者に捻じ込み固定させることを特徴とした金属下地屋根構造が開示されている。
【先行技術文献】
【特許文献】
【０００５】
【特許文献１】特開２００６−２３３５５６号公報
【発明の概要】
【発明が解決しようとする課題】
【０００６】
しかし、特許文献１のように、金属補強板を設置してもなお、強風に曝されることにより、躯体に捻じ込んだ固定ビスが緩み、抜けてしまう場合があった。
【０００７】
そこで、本発明の目的は、強風に曝されても、躯体に捻じ込んだ固定ビスが緩み難い防水構造体を提供することにある。
【課題を解決するための手段】
【０００８】
このような目的は、以下の本発明により達成される。
（１）断熱材と防水シートとからなる防水層が、固定具で、躯体の表面に固定されている防水構造体の製造方法であって、
先ず、該躯体の表面に、該断熱材を載置し、
次いで、ビス頭の平面形状が外周上の異なる２点で軸心からの長さが異なっている形状である固定ビスと、該固定ビスのビス頭が嵌合するための座繰り部が形成されている固定板と、からなる固定具を、該固定板に該固定ビスを挿通した状態で、該固定具の固定箇所の該断熱材に捻じ込み、該断熱材を貫通させ、更に、該躯体に捻じ込むことにより、該固定具により該断熱材を該躯体に固定し、
次いで、該断熱材及び該固定具を覆うように、防水シートを載置し、
次いで、固定板の防水シート側の面と該防水シートとを接合させることにより、防水構造体を得ること、
を特徴とする防水構造体の製造方法。
（２）前記ビス頭の平面形状が、軸心から外周までの長さの最小値に対する軸心から外周までの長さの最大値の比（最大値／最小値）が、１より大きい形状であることを特徴とする（１）の防水構造体の製造方法。
（３）前記ビス頭の平面形状が、多角形であることを特徴とする（１）又は（２）いずれかの防水構造体の製造方法。
（４）前記ビス頭の平面形状が、楕円形であることを特徴とする（１）又は（２）いずれかの防水構造体の製造方法。
【発明の効果】
【０００９】
本発明によれば、強風に曝されても、躯体に捻じ込んだ固定ビスが緩み難い防水構造体を提供することができる。
【図面の簡単な説明】
【００１０】
【図１】本発明の防水構造体の形態例を示す端面図である。
【図２】図１中の固定ビスを示す図である。
【図３】図１中の固定板を示す図である。
【図４】図１中の固定具を平面視した図である。
【図５】本発明の防水構造体を構築する方法を示す模式的な端面図である。
【図６】本発明の防水構造体を構築する方法を示す模式的な端面図である。
【図７】本発明の防水構造体を構築する方法を示す模式的な端面図である。
【図８】本発明の防水構造体を構築する方法を示す模式的な端面図である。
【図９】本発明の固定具の形態例に係る固定ビスを示す模式図である。
【図１０】図９に示す固定ビスのビス頭が嵌合する座繰り部が形成されている固定板を示す模式図である。
【図１１】本発明の固定具の形態例に係る固定ビスを示す模式図である。
【図１２】図１１に示す固定ビスのビス頭が嵌合する座繰り部が形成されている固定板を示す模式図である。
【図１３】本発明の固定具の形態例を示す模式的な平面図である。
【図１４】本発明の固定具の形態例を示す模式的な端面図である。
【図１５】本発明の固定具の形態例に係る固定板を示す模式図である。
【図１６】本発明の固定具の形態例に係る固定板を示す模式図である。
【図１７】防水構造体の一例である。
【図１８】従来の固定具に係る固定ビスを示す模式図である。
【図１９】従来の固定具に係る固定板を示す模式図である。
【発明を実施するための形態】
【００１１】
本発明の防水構造体は、断熱材と防水シートとからなる防水層が、固定具で、躯体の表面に固定されている防水構造体であって、
該躯体と、該断熱材と、該防水シートと、該固定具と、を有し、
該固定具は、該断熱材を貫通し該躯体に捻じ込み固定されている固定ビスと、該固定ビスが挿通される固定板と、からなり、
該固定ビスのビス頭の平面形状が、外周上の異なる２点で、軸心からの長さが異なっている形状であり、
該固定板の挿通孔の内周面には、該固定ビスのビス頭が嵌合する座繰り部が形成されており、
該固定ビスのビス頭と該固定板の挿通孔の座繰り部とが嵌合しており、
該固定板の防水シート側の面が、該防水シートに接合していること、
を特徴とする防水構造体である。
【００１２】
本発明の防水構造体及び本発明の防水構造体用の固定具について、図１〜図１６を参照して説明する。図１は、本発明の防水構造体の形態例の模式的な端面図である。図２は、図１中の固定ビスを示す図であり、図２（Ａ）は、図１中の固定ビスを平面視した図であり、図２（Ｂ）は、図１中の固定ビスを図２（Ａ）のｘ方向から側面視した図であり、図２（Ｃ）は、図１中の固定ビスを図２（Ａ）のｙ方向から側面視した図であり、図２（Ｄ）は、図１中の固定ビスを平面視した図である（ただし、ビス頭に形成されている十字溝の記載を省略した。）。図３は、図１中の固定板を示す図であり、図３（Ａ）は、図１中の固定板を平面視した図であり、図３（Ｂ）は、図１中の固定板を図３（Ａ）のｘ−ｘ線で切った端面図であり、図３（Ｃ）は、図１中の固定板を図３（Ａ）のｙ−ｙ線で切った端面図である。図４は、図１中の固定具を平面視した図である。図５〜図８は、本発明の防水構造体を構築する方法を示す模式的な端面図である。図９は、固定ビスの形態例を示す図であり、図９（Ａ）は、固定ビスを平面視した図であり、図９（Ｂ）は、固定ビスを図９（Ａ）のｘ方向から側面視した図であり、図９（Ｃ）は、固定ビスを図９（Ａ）のｙ方向から側面視した図である。図１０は、図９に示す固定ビスのビス頭が嵌合する座繰り部が形成されている固定板を示す模式図であり、図１０（Ａ）は、固定板を平面視した図であり、図１０（Ｂ）は、固定板を図１０（Ａ）のｘ−ｘ線で切った端面図であり、図１０（Ｃ）は、固定板を図１０（Ａ）のｙ−ｙ線で切った端面図である。図１１は、固定ビスの形態例を示す図であり、図１１（Ａ）は、固定ビスを平面視した図であり、図１１（Ｂ）は、固定ビスを図１１（Ａ）のｘ方向から側面視した図であり、図１１（Ｃ）は、固定ビスを図１１（Ａ）のｙ方向から側面視した図である。図１２は、図１１に示す固定ビスのビス頭が嵌合する座繰り部が形成されている固定板を示す模式図であり、図１２（Ａ）は、固定板を平面視した図であり、図１２（Ｂ）は、固定板を図１２（Ａ）のｘ−ｘ線で切った端面図であり、図１２（Ｃ）は、固定板を図１２（Ａ）のｙ−ｙ線で切った端面図である。図１３は、固定具の形態例を示す模式的な平面図である。図１４は、固定具の形態例を示す模式的な端面図である。図１５は、固定板の形態例を示す模式図であり、図１５（Ａ）は、固定板を平面視した図であり、図１５（Ｂ）は、図１５（Ａ）のｘ−ｘ線で切った端面図であり、図１５（Ｃ）は、固定板を下側から見た底面図である。図１６は、本発明の固定具の形態例に係る固定板を示す模式図であり、図１６（Ａ）は、固定板を平面視した図であり、図１６（Ｂ）は、固定板を図１６（Ａ）のｘ−ｘ線で切った端面図であり、図１６（Ｃ）は、固定板を下側から見た底面図であり、図１６（Ｄ）は、固定板を図１６（Ａ）のｙ−ｙ線で切った端面図である。なお、図１、図６、図７、図８及び図１４では、説明の都合上、固定ビスを、側面図で示している。
【００１３】
図１中、防水構造体１０は、躯体２１と、躯体２１の表面に敷設されており、躯体２１の表面を覆う断熱材２２及び断熱材２２を覆う防水シート２３とからなる防水層２４と、防水層２４を固定するための固定具１１と、を有する。
【００１４】
固定具１１は、固定ビス１ａと、固定板５ａとからなる。固定ビス１ａは、図２に示すように、平面形状が正方形のビス頭３ａと、側面にネジ山が形成されている軸２と、先端部４で、構成されている。また、固定板５ａは、図３に示すように、固定ビス１ａの挿通孔６ａを有している。この挿通孔６ａの内周面には、固定ビス１ａのビス頭３ａが嵌合する座繰り部７ａが形成されている。座繰り部７ａの平面形状は、正方形であり、座繰り部７ａの形状は、ビス頭３ａの形状に対応する形状である。
【００１５】
そして、固定ビス１ａは、断熱材２２を貫通し、躯体２１に捻じり込まれることにより、躯体２１に断熱材２２が固定されている。このとき、固定ビス１ａは、固定板５ａの挿通孔６ａに挿通され、固定ビス１ａのビス頭３ａが、固定板５ａの座繰り部７ａに嵌合した状態で、躯体２１に捻じ込み固定されている。
【００１６】
また、固定板５ａは、断熱材２２と防水シート２３の間に配置されている。そして、固定板５ａの防水シート２３側の面１２は、防水シート２３に接着されている。
【００１７】
このような防水構造体１０は、例えば、図５〜図８に示す方法により構築される。
【００１８】
図５に示すように、先ず、躯体２１の表面に、断熱材２２を載置する。
【００１９】
次いで、図６及び図７に示すように、固定板５ａに固定ビス１ａを挿通させ、固定板５ａの座繰り部７ａに固定ビス１ａのビス頭３ａを嵌合させた状態の固定具１１を、固定具１１の固定箇所の断熱材２２に捻じ込み、断熱材２２を貫通させ、更に、躯体２１に捻じ込む。そして、固定具１１を、断熱材２２を貫通させ、躯体２１に捻じ込むことにより、断熱材２２が、固定具１１により、躯体２２に固定される。
【００２０】
次いで、図８に示すように、断熱材２２及び固定具１１を覆うように、防水シート２３を載置する。
【００２１】
次いで、固定板５ａの防水シート側の面１２と防水シート２３とを接着させることにより、図１に示す防水構造体１０を構築する。
【００２２】
防水構造体１０の固定具５ａでは、図４に示すように、正方形の平面形状のビス頭３ａが、平面形状が正方形の座繰り部７ａに嵌合しているので、固定ビス１ａは、固定板５ａごと回転しない限り、符号１３の向きに回転することができない。
【００２３】
そして、防水構造体１０では、固定板５ａは、防水シート２３に固定されているので、防水構造体１０が強風に曝されても、固定板５ａが回転することはない。そのため、防水シート２３に固定されている固定板５ａにより、固定ビス１ａの回転が抑制され、防水構造体１０が強風に曝されても、固定ビス１ａが緩むことはない。
【００２４】
図２に示すように、固定ビス１ａのビス頭３ａの形状は、四角形なので、ビス頭３ａの平面形状は、外周上の異なる２点で、軸心から外周までの長さが異なっている。図２（Ｄ）中、第一点３１及び第二点３２を、ビス頭３ａを平面視したときの外周上の異なる２点とすると、軸心３３から第一点３１までの長さＬ１と、軸心３３から第二点３２までの長さＬ２は、異なっている。
【００２５】
そして、外周上の異なる２点で、軸心から外周までの長さが異なっている平面形状のビス頭は、座繰り部と嵌合すると、座繰り部により回転が抑制されるため、座繰り部内で回転することができなくなる。
【００２６】
一方、図１８及び図１９に示すような、従来の防水構造体で用いられている固定具は、ビス頭４３の平面形状が円形の固定ビス４１と、円形の座繰り部４７が形成されている固定板４５と、からなる。円形は、外周上の異なるどの２点を選んでも、軸心からの長さが同じである。図１８（Ｄ）に示すように、Ｌ１とＬ２の長さが同じである。そのため、円形のビス頭は、円形の座繰り部と嵌合しても、座繰り部が回転を抑制することはないので、座繰り部内で回転することができる。
【００２７】
すなわち、断熱材と防水シートとからなる防水層が、固定具で、躯体の表面に固定されている防水構造体であって、
該躯体と、該断熱材と、該防水シートと、該固定具と、を有し、
該固定具は、該断熱材を貫通し該躯体に捻じ込み固定されている固定ビスと、該固定ビスが挿通される固定板と、からなり、
該固定ビスのビス頭の平面形状が、外周上の異なる２点で、軸心からの長さが異なっている形状であり、
該固定板の挿通孔の内周面には、該固定ビスのビス頭が嵌合する座繰り部が形成されており、
該固定ビスのビス頭と該固定板の挿通孔の座繰り部とが嵌合しており、
該固定板の防水シート側の面が、該防水シートに接合していること、
を特徴とする防水構造体。
【００２８】
躯体は、断熱材と防水シートからなる防水層が敷設されている対象である。図１に示す形態例では、防水層が敷設されている躯体の材質は、金属板であるが、これに限定されるものではなく、躯体の材質としては、金属板、コンクリート、軽量コンクリート、パネル材、木材等が挙げられる。また、図１に示す形態例では、躯体の表面形状が、折れ板状に加工された形状であるが、これに限定されるものではなく、躯体の形状としては、平板状の形状、折れ板状の形状等が挙げられる。
【００２９】
防水層は、断熱材と防水シートにより構成されている。断熱材の材質としては、通常、建物の断熱に用いられる断熱材であれば、特に制限されず、発泡ポリスチレン、ポリウレタンフォーム、ポリイソシアヌレートフォーム、フェノールフォーム等が挙げられる。断熱材の厚みは、特に制限されず、必要に応じて適宜選択される。
【００３０】
防水シートの材質は、防水性と耐候性を有し、通常、建物の防水シートとして用いられるものであれば、特に制限されず、ポリ塩化ビニル樹脂、ポリオレフィン系樹脂、エチレン酢酸ビニル共重合体等の軟質の合成樹脂、合成ゴム系の材質等が挙げられる。これらのうち、防水シートの材質としては、ポリ塩化ビニル樹脂が、溶剤溶着性や熱融着性に優れる点で、好ましい。防水シートの厚みは、特に制限されず、必要に応じて適宜選択される。
【００３１】
本発明の防水構造体に係る固定具は、固定ビスと、固定板と、からなる。固定具は、固定ビスが固定板の挿通孔に挿通され、固定ビスのビス頭が固定板の座繰り部に嵌合した状態で、固定ビスが断熱材を貫通し躯体に捻じり込み固定されることにより、断熱材を固定する部材であり、且つ、固定板の防水シート側の面が防水シートに接合することにより、防水シートを固定する部材でもある。
【００３２】
固定ビスは、固定ビスの先端部を、金属板やコンクリート等の躯体に打ち込むことにより、躯体に孔を空け、固定ビスを回転させることにより、側面のネジ山で躯体に開けられた孔にネジ山を切ることができるような構造を有している。
【００３３】
固定ビスのビス頭の平面形状は、外周上の異なる２点で、軸心からの長さが異なっている形状、すなわち、外周上の異なる２点である第一点及び第二点において、軸心から第一点までの長さと軸心から第二点までの長さが異なっている形状である。なお、本発明において、固定ビスのビス頭の平面形状とは、捻じ込み方向に固定ビスを見たときのビス頭の形状である。
【００３４】
ビス頭の平面形状は、軸心から外周までの長さの最小値に対する軸心から外周までの長さの最大値の比（最大値／最小値）が、１より大きい形状である。そして、ビス頭の平面形状において、軸心から外周までの長さの最小値に対する軸心から外周までの長さの最大値の比（最大値／最小値）が、１．０５以上、１．１以上、１．１５以上、１．２以上、１．２５以上、１．３以上、１．３５以上、１．４以上、１．４５以上、１．５以上とのように、大きくなるほど、本発明の効果が高まる点で好ましい。例えば、図２に示す固定ビス１ａでは、軸心３３から外周までの長さが最小となる外周上の点は、第一点３１であり、また、軸心３３から外周までの長さが最大となる外周上の点は、第二点３２であるので、軸心から外周までの長さの最小値はＬ１であり、軸心から外周までの長さの最大値はＬ２である。よって、軸心から外周までの長さの最小値に対する軸心から外周までの長さの最大値の比とは、図２に示す固定ビス１ａでは、「Ｌ２／Ｌ１」である。
【００３５】
外周上の異なる２点で、軸心からの長さが異なっている形状としては、楕円形が挙げられる。図９には、ビス頭の平面形状が楕円形状である固定ビスの形態例を示す。図９に示すように、固定ビス１ｂは、平面形状が楕円形のビス頭３ｂと、側面にネジ山が形成されている軸２と、先端部４で、構成されている。楕円形では、軸心から外周までの長さが最小となる外周上の点は、短軸と交差する外周上の点であり、また、軸心から外周までの長さが最大となる外周上の点は、長軸と交差する外周上の点である。よって、軸心から外周までの長さの最小値に対する軸心から外周までの長さの最大値の比は、「長軸の半径／短軸の半径」である。
【００３６】
外周上の異なる２点で、軸心からの長さが異なっている形状としては、三角形、四角形、五角形、六角形等の多角形が挙げられる。また、ビス頭の平面形状が多角形の場合、ビス頭の平面形状は、正三角形、正方形、正五角形、正六角形等の正多角形であっても、直角三角形、長方形等の正多角形ではない多角形であってもよい。なお、ビス頭の平面形状に係る多角形の形状とは、全体形状が略多角形である形状を指し、多角形には、各頂点に明確な角がある形状に加え、各頂点近傍が丸みを帯びた形状も含まれる。
【００３７】
図１１には、ビス頭の形状が正六角形である固定ビスの形態例を示す。図１１に示すように、固定ビス１ｃは、平面形状が正六角形のビス頭３ｃと、側面にネジ山が形成されている軸２と、先端部４で、構成されている。正六角形等の正多角形では、軸心から外周までの長さが最小となる外周上の点は、正六角形等の正多角形の各辺の中点であり、また、軸心から外周までの長さが最大となる外周上の点は、正六角形等の正多角形の各頂点である。よって、軸心から外周までの長さの最小値に対する軸心から外周までの長さの最大値の比は、「軸心から正六角形等の正多角形の各頂点までの長さ／軸心から正六角形等の正多角形の各辺の中点までの長さ」である。
【００３８】
他に、外周上の異なる２点で、軸心からの長さが異なっている形状としては、例えば、円周の１箇所又は２箇所以上に円周の外側に向かって突出している凸部を有する円状の形状、円周の１箇所又は２箇所以上に円周の内側に向かって凹んでいる凹部を有する円状の形状等が挙げられる。
【００３９】
固定ビスの材質としては、特に制限されず、鉄、ステンレス鋼などの金属等が挙げられる。
【００４０】
固定ビスのビス頭には、固定ビスを回転させるための工具が係合する溝、例えば、図２、図９及び図１１に示す形態例では、十字形状の溝１４が、形成されている。ビス頭に形成されている溝の形状は、固定ビスを回転させるための工具を係合させることができる形状であれば、特に制限されない。
【００４１】
固定板は、固定ビスが挿通される挿通孔を有している。固定板の挿通孔の内周面には、固定ビスのビス頭が嵌合する座繰り部が形成されている。
【００４２】
固定板に形成されている座繰り部の形状は、固定ビスのビス頭が嵌合することにより、固定ビスの回転が抑制される形状であればよい。座繰り部の平面形状としては、ビス頭の形状と対応する形状が好適に選択される。なお、ビス頭の形状と対応する形状とは、鋳物とその鋳物の鋳型のように対応する形状を指す。例えば、固定ビスとして、図２に示す固定ビス１ａが用いられている場合、固定ビス１ａのビス頭３ａと対応する形状の座繰り部が形成されている固定板としては、図３に示す固定板５ａが挙げられる。そして、座繰り部７ａの形状が、ビス頭３ａの側面形状と対応しているので、ビス頭３ａは、座繰り部７ａに嵌合し、このような嵌合により、座繰り部７ａ内でのビス頭３ａの回転が抑制される。
【００４３】
また、例えば、固定ビスとして、図９に示す固定ビス１ｂが用いられている場合、固定ビス１ｂのビス頭３ｂと対応する形状の座繰り部が形成されている固定板としては、図１０に示す固定板５ｂが挙げられる。固定板５ｂは、固定ビス１ｂが挿通される挿通孔６ｂを有しており、挿通孔６ｂの内周面には、平面形状が楕円形の座繰り部７ｂが形成されている。そして、座繰り部７ｂの形状が、ビス頭３ｂの側面形状と対応しているので、ビス頭３ｂは、座繰り部７ｂに嵌合し、このような嵌合により、座繰り部７ｂ内でのビス頭３ｂの回転が抑制される。
【００４４】
また、例えば、固定ビスとして、図１１に示す固定ビス１ｃが用いられている場合、固定ビス１ｃのビス頭３ｃと対応する形状の座繰り部が形成されている固定板としては、図１２に示す固定板５ｃが挙げられる。固定板５ｃは、固定ビス１ｃが挿通される挿通孔６ｃを有しており、挿通孔６ｃの内周面には、平面形状が正六角形の座繰り部７ｃが形成されている。そして、座繰り部７ｃの形状が、ビス頭３ｃの側面形状と対応しているので、ビス頭３ｃは、座繰り部７ｃに嵌合し、このような嵌合により、座繰り部７ｃ内でのビス頭３ｃの回転が抑制される。
【００４５】
また、例えば、ビス頭の平面形状が正三角形の場合、座繰り部の平面形状が正六角形であっても、正三角形の平面形状のビス頭は、平面形状が正六角形の座繰り部に嵌合することができる。図１３に示すように、正三角形の平面形状のビス頭３ｇが、正六角形の平面形状の座繰り部７ｇに嵌合することにより、固定ビスの回転が固定板により抑制される。つまり、固定板に形成されている座繰り部の形状は、固定ビスのビス頭が嵌合することにより、固定ビスの回転が抑制されるように、ビス頭の形状に合わせて適宜選択される。
【００４６】
図１に示す形態例では、固定ビスのビス頭の上側の面が、固定板の防水シート側の面と、同じ高さであるが、本発明では、これに限定されず、図１４に示す形態例のように、固定ビス１ｄのビス頭の上側の面が、固定板の防水シート側の面１２より、低くなっていてもよい。また、固定板の座繰り部は、固定ビスのビス頭全体と嵌合するように形成されていてもよいし、固定ビスのビス頭の一部と嵌合するように形成されていてもよく、固定板の座繰り部と、固定ビスのビス頭の全体又は一部が嵌合することにより、固定ビスの回転が抑制されていればよい。
【００４７】
図１に示す形態例では、固定板の断熱材側の面は、平坦であるが、本発明ではこれに限定されず、固定板の断熱材側の面に、固定板の平坦部から断熱材側に向かって突出している凸部が形成されていてもよい。例えば、図１５に示す形態例の固定板５ｆは、固定ビスが挿通される挿通孔６ｆを有しており、挿通孔６ｆには、座繰り部７ｆが形成されており、且つ、固定板５ｆの平坦部１５の断熱材側１７に、円筒形の凸部１６が形成されている。
【００４８】
固定板として、固定板の平坦部から断熱材側に向かって突出している凸部が形成されている固定板が用いられている場合、凸部は、断熱材に形成されている凹部に収められる。そして、本発明の防水構造体のうち、固定板として、固定板の平坦部から断熱材側に向かって突出している凸部が形成されている固定板が用いられている形態では、固定板の平坦部から断熱材側に向かって突出している凸部が、断熱材に形成されている凹部に収められることにより、固定板の横揺れを防止する。
【００４９】
図１に示す形態例では、固定板の平面形状は円形であるが、本発明ではこれに限定されず、固定板の平面形状としては、他には、四角形が挙げられる。また、図１に示す形態例では、固定板は平板状の板であるが、本発明ではこれに限定されず、他には、側面から見たときの形状がＬ字形状のものが挙げられる。また、図１に示す形態例では、１つの固定板に対して１つの固定ビスが挿通されているが、本発明ではこれに限定されず、１つの固定板に対して複数の固定ビスが挿通されていてもよい。例えば、図１６に示す固定板５ｈは、断熱材側の平面形状が長方形であり、側面から見たときの形状がＬ字形状であり、固定ビスが挿通される挿通孔６ｈを３つ有している。各挿通孔６ｈの内周面には、平面形状が正方形の座繰り部７ｈが形成されている。そして、座繰り部７ｈの形状が、固定板５ｈに挿通される固定ビスのビス頭の側面形状と対応している。
【００５０】
固定板の材質としては、特に制限されないが、例えば、鉄、ステンレス鋼などの金属、熱硬化性樹脂、熱可塑性樹脂などの合成樹脂等が挙げられる。
【００５１】
固定板が、表面が合成樹脂で被覆されている鋼板等の金属板の場合、固定板に被覆されている合成樹脂としては、ポリ塩化ビニル樹脂、ポリオレフィン系樹脂、エチレン酢酸ビニル共重合体等の軟質の合成樹脂、合成ゴム系の材質等が挙げられる。これらのうち、固定板に被覆されている合成樹脂としては、ポリ塩化ビニル樹脂が、溶剤溶着性や熱融着性に優れる点で、好ましい。固定板の厚みは、特に制限されず、必要に応じて適宜選択される。
【００５２】
固定板が、表面に合成樹脂が被覆されている金属板の場合、例えば、合成樹脂被覆鋼板をプレス加工することにより、表面に合成樹脂が被覆されている金属板製の固定板を作製することができる。また、固定板が、合成樹脂板の場合、例えば、射出成形等の適宜の樹脂加工方法により、合成樹脂製の固定板を作製することができる。
【００５３】
固定板の防水シート側の面は、防水シートに接合している。固定板の防水シート側の面と防水シートとの接合形態は、強風に曝されても防水シートが固定板の防水シート側の面から剥がれない形態であれば、特に制限されない。例えば、防水シートに覆われた状態で、防水シートの上から、固定板の防水シート側の面に被覆されている樹脂を加熱することにより、固定板の防水シート側の面に被覆されている樹脂で融着された形態、防水シートを固定板の防水シート側の面に載置するときに、固定板の防水シート側の面に被覆されている樹脂に溶剤を塗布することにより、固定板の防水シート側の面に被覆されている樹脂で溶着された形態、防水シートを固定板の防水シート側の面に載置するときに、固定板の防水シート側の面に接着剤を塗布することにより、接着剤で接着された形態等が挙げられる。
【００５４】
本発明の防水構造体では、断熱材と固定具との間に、例えば、ポリエチレン製の織布からなる絶縁クロスシート、ガラス繊維製の防火用シート、ピンホール検査用のアルミ箔ラミネートシート等が介在されていてもよい。また、断熱材と防水シートとの間に、人の歩行を可能にする目的で、歩行用ボードとして、珪酸カルシウム板、石綿スレート板、軽量気泡コンクリート板等の高剛性板を介在させてもよい。
【００５５】
本発明の固定具は、本発明の防水構造体に用いられる固定具であり、固定ビスと、該固定ビスが挿通される固定板と、からなり、
該固定ビスのビス頭の平面形状が、外周上の異なる２点で、軸心からの長さが異なっている形状であり、
該固定板の挿通孔の内周面には、該固定ビスのビス頭と嵌合する座繰り部が形成されていること、
を特徴とする固定具である。
【００５６】
本発明の固定具に係る固定ビス、固定板は、本発明の防水構造体に係る固定ビス、固定板と同様である。
【符号の説明】
【００５７】
１ａ、１ｂ、１ｃ、１ｄ  固定ビス
２          軸
３ａ、３ｂ、３ｃ、３ｄ、３ｇ  ビス頭
４          先端部
５ａ、５ｂ、５ｃ、５ｄ、５ｆ、５ｈ  固定板
６ａ、６ｂ、６ｃ、６ｆ、６ｈ  挿通孔
７ａ、７ｂ、７ｃ、７ｆ、７ｇ、７ｈ  座繰り部
１０        防水構造体
１１        固定具
１２        固定板の防水シート側の面
１４        溝
２１        躯体
２２        断熱材
２３        防水シート
２４        防水層
３１        第一点
３２        第二点
３３        軸心
【産業上の利用可能性】
【００５８】
本発明によれば、強風に曝されても、防水層を固定するための固定ビスが緩み難い防水構造体を、躯体に施工することができる。
【図１】
0005822106.tif 000002
【図２】
0005822106.tif 000003
【図３】
0005822106.tif 000004
【図４】
0005822106.tif 000005
【図５】
0005822106.tif 000006
【図６】
0005822106.tif 000007
【図７】
0005822106.tif 000008
【図８】
0005822106.tif 000009
【図９】
0005822106.tif 000010
【図１０】
0005822106.tif 000011
【図１１】
0005822106.tif 000012
【図１２】
0005822106.tif 000013
【図１３】
0005822106.tif 000014
【図１４】
0005822106.tif 000015
【図１５】
0005822106.tif 000016
【図１６】
0005822106.tif 000017
【図１７】
0005822106.tif 000018
【図１８】
0005822106.tif 000019
【図１９】
0005822106.tif 000020